(57)【要約】  室内熱交換器と、室内ファンと、室内熱交換器と室内ファンとの間に配置され、室内ファンを清掃するファン清掃部（５１）と、ファン清掃部（５１）の基端部（５１ａ）を中空部（５０ｂ）で支持する軸状の支持部（５０）とを備えている。少なくともファン清掃部（５１）の運転停止の際には、支持部（５０）の中空部（５０ｂ）内のファン清掃部（５１）の基端部（５１ａ）を少なくとも下側で支持している面（５０ｆ）は傾斜している。
2019220490.tif 000002
【特許請求の範囲】
【請求項１】
室内熱交換器と、
室内ファンと、
前記室内ファンを清掃するファン清掃部と、
前記ファン清掃部の基端部を内部で支持する支持部とを備え、
前記ファン清掃部の運転停止時に、前記支持部内の前記ファン清掃部の基端部を下側で支持している面は傾斜している空気調和機。
【請求項２】
少なくとも前記ファン清掃部の運転停止時に、前記基端部を下側で支持している前記支持部内の面は、前記ファン清掃部が貫通する長孔側が下側になるよう傾斜している請求項１に記載の空気調和機。
【請求項３】
前記支持部の外面のうち前記ファン清掃部の運転停止時に上側に位置する面は傾斜している請求項１に記載の空気調和機。
【請求項４】
前記支持部の外面は、その径方向断面の外形形状が略円形である請求項３に記載の空気調和機。
【請求項５】
前記支持部は、前記ファン清掃部の基端部を支持している内部と外部とを連通している貫通孔を前記ファン清掃部が貫通する長孔とは別に備える請求項１に記載の空気調和機。
【請求項６】
前記ファン清掃部の運転停止時に、前記貫通孔は前記ファン清掃部の基端部を支持している前記支持部の内部から外部に向けて下り傾斜している請求項５に記載の空気調和機。
【請求項７】
前記ファン清掃部は、前記支持部に収容されている部分よりも収容されていない部分の方が長い請求項１又は請求項２に記載の空気調和機。
【請求項８】
前記ファン清掃部で前記室内ファンの清掃を行う際に当該ファン清掃部の先端側のうち当該室内ファンとラップする部分の長さは、前記支持部の内部における前記ファン清掃部の基端部と前記支持部内部の前記ファン清掃部の出口側とのギャップ長さよりも長い請求項１又は請求項２に記載の空気調和機。
【請求項９】
前記ファン清掃部は、前記室内熱交換器と前記室内ファンとの間に配置されていることを特徴とする請求項１又は請求項２に記載の空気調和機。
【発明の詳細な説明】
【技術分野】
【０００１】
本発明は、空気調和機に関する。
【背景技術】
【０００２】
本技術分野の背景技術として、特開２００７−７１２１０号公報（特許４０４６７５５号の公開公報）（特許文献１）がある。この公報には、「流体送り装置のファンケーシング部にファンに付着する塵埃を除去するための可動式のファン清掃装置が設置されている」と記載されている（要約参照）。
【先行技術文献】
【特許文献】
【０００３】
【特許文献１】特開２００７−７１２１０号公報
【発明の概要】
【発明が解決しようとする課題】
【０００４】
前記特許文献１の技術では、ファン清掃装置と当該ファン清掃装置を制御する制御装置とを備えている。そして、調和空気を室内に吹出す通常運転モードと、ファンを低速で回転させるとともにファン清掃装置を可動するファン清掃運転モードを有し、ファン清掃装置は先端にファン清掃部を備え、ファン掃除運転モード時にはファン清掃部を退避させる位置に可動する。【０００５】
しかしながら、ファン清掃装置がファン清掃部（ブラシ等）とその支持部とを備える構成において、ファン清掃装置は室内機の内部に配置されるため、ファン清掃装置自身にも結露が生じる。特に、ファン清掃装置が室内熱交換器の周辺に配置される場合は結露が生じやすい。そして、ファン清掃装置が結露した状態が長期に継続すると、ファン清掃装置にカビや錆が発生する要因となる。特に、ファン清掃部と支持部とが接触する部分は風が通りにくく、乾燥させることが困難である。その対策として、防カビ材等を使用してもよいが、製造コストやランニングコストの上昇の要因となる。
そこで、本発明は、ファン清掃装置のカビや錆等の発生を抑制することができる空気調和機を提供することを課題とする。
【課題を解決するための手段】
【０００６】
上記課題を解決するため、本発明の一形態の空気調和機は、室内熱交換器と、室内ファンと、前記室内ファンを清掃するファン清掃部と、前記ファン清掃部の基端部を内部で支持する支持部とを備え、前記ファン清掃部の運転停止時に、前記支持部内の前記ファン清掃部の基端部を下側で支持している面は傾斜している。
【発明の効果】
【０００７】
本発明によれば、ファン清掃装置のカビや錆等の発生を抑制することができる空気調和機を提供することができる。
上記した以外の課題、構成及び効果は、以下の実施形態の説明により明らかにされる。
【図面の簡単な説明】
【０００８】
【図１】本発明の実施例１に係る空気調和機の冷媒回路の系統図である。
【図２】本発明の実施例１に係る空気調和機の室内機の横断面図である。
【図３】本発明の実施例１に係る空気調和機の室内機の一部を切り欠いた斜視図である。
【図４】本発明の実施例１に係る空気調和機の制御系を示す機能ブロック図である。
【図５Ａ】本発明の実施例１に係る空気調和機のファン清掃装置を径方向に切断した状態の横断面図である。
【図５Ｂ】本発明の実施例１に係る空気調和機のファン清掃装置を径方向に切断した状態の正面図である。
【図６】本発明の実施例１に係る空気調和機のファン清掃装置の横断面図である。
【図７】本発明の実施例１に係る空気調和機のファン清掃装置の横断面図である。
【図８】本発明の実施例１に係る空気調和機のファン清掃装置と室内ファンとの接触状態を示す横断面図である。
【図９】本発明の実施例１に係る空気調和機の制御部が実行する処理のフローチャートである。
【図１０Ａ】本発明の実施例１に係る空気調和機の室内ファンの清掃中の状態を示す横断面図である。
【図１０Ｂ】本発明の実施例１に係る空気調和機の室内熱交換器の解凍中の状態を示す横断面図である。
【図１１】本発明の実施例２に係る空気調和機のファン清掃装置の横断面図である。
【図１２】本発明の実施例の変形例に係る空気調和機の室内機の横断面図である。
【図１３】本発明の実施例の別の変形例に係る空気調和機が備える室内ファン及びファン清掃装置の模式的な斜視図である。
【発明を実施するための形態】
【０００９】
以下、本発明の実施例について図面を用いて説明する。
【実施例１】
【００１０】
以下、本発明の実施例について図面を用いて説明する。以下で、上下方向をいうときは、図面中で適宜図示した矢印に従う。また、前後方向を矢印で示すときには、その前後方向は水平方向である。
図１は、本実施例に係る空気調和機１００の冷媒回路Ｑの系統図である。なお、図１の実線矢印は、暖房運転時における冷媒の流れを示している。また、図１の破線矢印は、冷房運転時における冷媒の流れを示している。【００１１】
図１に示すように、空気調和機１００は、圧縮機１１と、室外熱交換器１２と、室外ファン１３と、膨張弁１４と、を備えている。また、空気調和機１００は、前記した構成の他に、室内熱交換器１５と、室内ファン１６と、四方弁１７と、を備えている。
圧縮機１１は、圧縮機モータ１１ａの駆動によって、低温低圧のガス冷媒を圧縮し、高温高圧のガス冷媒として吐出する機器である。【００１２】
室外熱交換器１２は、その伝熱管（図示せず）を通流する冷媒と、室外ファン１３から送り込まれる外気との間で熱交換を行う熱交換器である。
室外ファン１３は、室外ファンモータ１３ａの駆動によって、室外熱交換器１２に外気を送り込むファンであり、室外熱交換器１２の近傍に設置されている。
膨張弁１４は、「凝縮器」（空調運転の種類に応じて室外熱交換器１２及び室内熱交換器１５の一方）で凝縮した冷媒を減圧する弁である。なお、膨張弁１４において減圧された冷媒は、「蒸発器」（空調運転の種類に応じて室外熱交換器１２及び室内熱交換器１５の他方）に導かれる。【００１３】
室内熱交換器１５は、その伝熱管ｇ（図２参照）を通流する冷媒と、室内ファン１６から送り込まれる室内空気（空調対象空間の空気）との間で熱交換を行う熱交換器である。
室内ファン１６は、室内ファンモータ１６ｃ（図４参照）の駆動によって、室内熱交換器１５に室内空気を送り込むファンであり、室内熱交換器１５の近傍に設置されている。より詳しく説明すると、室内ファン１６が正回転している場合の空気の流れにおいて、室内ファン１６は室内熱交換器１５の下流側に設置されている。【００１４】
四方弁１７は、空気調和機１００の運転モードに応じて、冷媒の流路を切り替える弁である。例えば、冷房運転時（図１の破線矢印を参照）には、圧縮機１１、室外熱交換器１２（凝縮器）、膨張弁１４、及び室内熱交換器１５（蒸発器）が、四方弁１７を介して環状に順次接続されてなる冷媒回路Ｑにおいて、冷凍サイクルで冷媒が循環する。【００１５】
一方、暖房運転時（図１の実線矢印を参照）には、圧縮機１１、室内熱交換器１５（凝縮器）、膨張弁１４、及び室外熱交換器１２（蒸発器）が、四方弁１７を介して環状に順次接続されてなる冷媒回路Ｑにおいて、冷凍サイクルで冷媒が循環する。
なお、図１に示す例では、圧縮機１１、室外熱交換器１２、室外ファン１３、膨張弁１４、及び四方弁１７が、室外機Ｕｏに設置されている。一方、室内熱交換器１５及び室内ファン１６は、室内機Ｕｉに設置されている。【００１６】
図２は、室内機Ｕｉの横断面図である。なお、図２では、ファン清掃装置２４による室内ファン１６の清掃が行われていない状態を図示している。室内機Ｕｉは、前記した室内熱交換器１５や室内ファン１６の他に、露受皿１８と、筐体ベース１９と、フィルタ２０ａ，２０ｂと、前面パネル２１と、左右風向板２２と、上下風向板２３と、ファン清掃装置２４とを備えている。【００１７】
室内熱交換器１５は、複数枚のフィンｆと、それらのフィンｆを貫通する複数本の伝熱管ｇとを有している。また、別の観点から説明すると、室内熱交換器１５は、前側室内熱交換器１５ａと、後側室内熱交換器１５ｂとを有している。前側室内熱交換器１５ａは、室内ファン１６の前側（室内側）に配置されている。一方、後側室内熱交換器１５ｂは、室内ファン１６の後側（壁側）に配置されている。そして、前側室内熱交換器１５ａの上端部と、後側室内熱交換器１５ｂの上端部とが接続されている。【００１８】
露受皿１８は、室内熱交換器１５の凝縮水を受けるものであり、室内熱交換器１５（図２に示す例では、前側室内熱交換器１５ａ）の下方に配置されている。
室内ファン１６は、例えば、円筒状のクロスフローファンであり、室内熱交換器１５の付近に配置されている。室内ファン１６は、複数のファンブレード１６ａと、これらのファンブレード１６ａが設置される仕切板１６ｂと、駆動源である室内ファンモータ１６ｃ（図４参照）とを備えている。【００１９】
なお、室内ファン１６は、親水性のコーティング剤でコーティングされていることが好ましい。このようなコーティング材として、例えば、親水性材料であるイソプロピルアルコール分散シリカゾルに、バインダー（加水分解性基を有するケイ素化合物）、ブタノール、テトラヒドロフラン、及び抗菌剤を添加したものを用いてもよい。【００２０】
これによって、室内ファン１６の表面に親水性膜が形成されるため、室内ファン１６の表面の電気抵抗値が小さくなり、室内ファン１６に塵埃が付着しにくくなる。つまり、室内ファン１６の駆動中、空気との摩擦に伴う静電気が室内ファン１６の表面に生じにくくなるため、室内ファン１６への塵埃の付着を抑制できる。このように、前記したコーティング剤は、室内ファン１６の帯電防止剤としても機能する。【００２１】
図２に示す筐体ベース１９は、室内熱交換器１５や室内ファン１６等の機器が設置される筐体である。
フィルタ２０ａは、前側の空気吸込口ｈ１に向かう空気から塵埃を除去するものであり、室内熱交換器１５の前側に設置されている。
フィルタ２０ｂは、上側の空気吸込口ｈ２に向かう空気から塵埃を除去するものであり、室内熱交換器１５の上側に設置されている。【００２２】
前面パネル２１は、前側のフィルタ２０ａを覆うように設置されるパネルであり、下端に回転軸（図示せず）が設けられていて前側に回動可能になっている。なお、前面パネル２１が回動しない構成であってもよい。
左右風向板２２は、室内ファン１６の回転に伴って室内に吹き出される空気の左右方向の流れを調整する板状部材である。左右風向板２２は、吹出風路ｈ３に配置され、左右風向板用モータ２５（図５参照）によって左右方向に回動するようになっている。【００２３】
上下風向板２３は、室内ファン１６の回転に伴って室内に吹き出される空気の上下方向の流れを調整する板状部材である。上下風向板２３は、空気吹出口ｈ４の近傍に配置され、上下風向板用モータ２６（図５参照）によって上下方向に回動するようになっている。
空気吸込口ｈ１，ｈ２を介して吸い込まれた空気は、室内熱交換器１５の伝熱管ｇを通流する冷媒と熱交換し、熱交換した空気が吹出風路ｈ３に導かれる。この吹出風路ｈ３を通流する空気は、左右風向板２２及び上下風向板２３によって所定方向に導かれ、さらに、空気吹出口ｈ４を介して室内に吹き出される。【００２４】
なお、空気の流れに伴って空気吸込口ｈ１，ｈ２に向かう塵埃の多くは、フィルタ２０ａ，２０ｂで捕集される。しかしながら、細かい塵埃がフィルタ２０ａ，２０ｂを通り抜けて、室内熱交換器１５や室内ファン１６に付着することがある。したがって、室内熱交換器１５や室内ファン１６を定期的に清掃することが望ましい。そこで、本実施例では、以下に説明するファン清掃装置２４を用いて室内ファン１６を清掃した後、室内熱交換器１５を水で洗い流すようにしている。【００２５】
図２に示すファン清掃装置２４は、室内ファン１６を清掃するものであり、室内熱交換器１５と室内ファン１６との間に配置されている。より詳しく説明すると、縦断面視で＜字状を呈する前側室内熱交換器１５ａの凹部ｒよりも室内ファン１６側の位置に、ファン清掃装置２４が配置されている。図２に示す例では、ファン清掃装置２４の下方に、室内熱交換器１５（前側室内熱交換器１５ａの下部）が存在するとともに、露受皿１８が存在している。【００２６】
図３は、室内機Ｕｉの一部を切り欠いた斜視図である。ファン清掃装置２４は、図３に示す支持部５０及びファン清掃部５１の他に、ファン清掃用モータ２４ｃ（図４参照）を備えている。支持部５０は、室内ファン１６の軸方向に平行な軸状の部材であり、その両端は筐体ベース１９に軸支されている（図示せず）。【００２７】
ファン清掃部５１は、ファンブレード１６ａに付着した塵埃を除去するものであり、支持部５０に基端部が支持されている。ファン清掃部５１は、ブラシや、ゴム製で可撓性のブレード等で構成することができる。すなわち、ファン清掃部５１は、ファンブレード１６ａに付着した塵埃を掻き落とすことができる部材であれば様々な部材を用いてよい。
ファン清掃用モータ２４ｃ（図４参照）は、例えば、ステッピングモータであり、支持部５０を所定角度だけ回転させる機能を有している。【００２８】
ファン清掃装置２４によって室内ファン１６を清掃する際には、室内ファン１６にファン清掃部５１が接触するように（図１０Ａ参照）、ファン清掃用モータ２４ｃ（図４参照）が駆動されるとともに、室内ファン１６が逆回転される。そして、ファン清掃装置２４による室内ファン１６の清掃が終了すると、ファン清掃用モータ２４ｃが再び駆動されてファン清掃部５１が回動し、室内ファン１６からファン清掃部５１が離間した状態になる（図２参照）。【００２９】
図４は、空気調和機１００の制御系を示す機能ブロック図である。図４に示す室内機Ｕｉは、前記した構成の他に、リモコン送受信部２７と、室内制御回路３１と、を備えている。
リモコン送受信部２７は、リモコン４０との間で所定の情報をやり取りする。【００３０】
室内制御回路３１は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。【００３１】
図４に示すように、室内制御回路３１は、記憶部３１ａと、室内制御部３１ｂと、を備えている。
記憶部３１ａには、所定のプログラムの他、リモコン送受信部２７を介して受信したデータや、各種センサ（図示せず）の検出値等が記憶される。
室内制御部３１ｂは、記憶部３１ａに記憶されたデータに基づいて、ファン清掃用モータ２４ｃ、室内ファンモータ１６ｃ、左右風向板用モータ２５、上下風向板用モータ２６等を制御する。【００３２】
室外機Ｕｏは、前記した構成の他に、室外制御回路３２を備えている。室外制御回路３２は、図示はしないが、ＣＰＵ、ＲＯＭ、ＲＡＭ、各種インタフェース等の電子回路を含んで構成され、通信線を介して室内制御回路３１に接続されている。図４に示すように、室外制御回路３２は、記憶部３２ａと、室外制御部３２ｂとを備えている。【００３３】
記憶部３２ａには、所定のプログラムの他、室内制御回路３１から受信したデータ等が記憶される。室外制御部３２ｂは、記憶部３２ａに記憶されたデータに基づいて、圧縮機モータ１１ａ、室外ファンモータ１３ａ、膨張弁１４等を制御する。以下では、室内制御回路３１及び室外制御回路３２を一括して「制御部３０」という。【００３４】
ところで、前記特許文献１の技術では、ファン清掃装置と当該ファン清掃装置を制御する制御装置とを備えている。そして、調和空気を室内に吹出す通常運転モードと、ファンを低速で回転させるとともにファン清掃装置を可動するファン清掃運転モードを有し、ファン清掃装置は先端にファン清掃部を備え、ファン掃除運転モード時にはファン清掃部を退避させる位置に可動する。【００３５】
しかしながら、ファン清掃装置がファン清掃部（ブラシ等）とその支持部とを備える構成において、ファン清掃装置は室内機の内部に配置されるため、ファン清掃装置自身にも結露が生じる。特に、ファン清掃装置が室内熱交換器の周辺に配置される場合は結露が生じやすい。そして、ファン清掃装置が結露した状態が長期に継続すると、ファン清掃装置にカビや錆が発生する要因となる。特に、ファン清掃部と支持部とが接触する部分は風が通りにくく、乾燥させることが困難である。その対策として、防カビ材等を使用してもよいが、空気調和機の製造コストやランニングコストの上昇の要因となる。
そこで、以下では、係る不具合に対策を施したファン清掃装置２４を中心に説明する。【００３６】
図５Ａは、ファン清掃装置２４を径方向に切断した状態の横断面図、図５Ｂは、同正面図である。図５Ａ、図５Ｂの状態は、室内ファン１６の清掃時以外のときの状態を示している。本実施例では、室内ファン１６の清掃時以外では、図２、図３にも示すように、ファン清掃部５１の先端部５１ｂの先が略鉛直下方を向くようにしている。具体的には、室内ファン１６の清掃時以外（通常の空調運転中も含む）では、ファン清掃部５１の先端が略鉛直下方を向いた状態で、室内ファン１６から離間している。【００３７】
ただし、本発明は、室内ファン１６の清掃時以外に、ファン清掃部５１の先端が鉛直下方を向くことに限定されない。図６は、ファン清掃装置２４の横断面図である。すなわち、図６に例示するように、ファン清掃部５１の長手方向が鉛直上下方向と鋭角をなすように位置していてもよい。この場合、ファン清掃部５１の先端側が前側室内熱交換器１５ａ側に寄っていても、室内ファン１６側に寄っていてもよい。以下では、室内ファン１６の清掃時以外では、ファン清掃部５１の先端が略鉛直下方を向いた状態で、室内ファン１６から離間しているとして説明する。【００３８】
図５Ａ、図５Ｂに示すように、ファン清掃装置２４は、ファン清掃部５１及び支持部５０を備えている。支持部５０は、長尺の軸状部材であり（図３）、ファン清掃部５１の運転停止の際（図５Ａ、図５Ｂの状態）に支持部５０の下部となる位置に支持部５０の軸方向に延びる長孔５０ａが形成されている。この長孔５０ａは支持部５０の軸芯部分に達し、当該軸芯部分では、図５Ａ、図５Ｂにおいて左右方向に拡がって長孔５０ａに接続した中空部５０ｂが形成されている。【００３９】
ファン清掃部５１は、ブラシや、ゴム製で可撓性のブレード等で構成することができる。すなわち、ファン清掃部５１は、ファンブレード１６ａに付着した塵埃を掻き落とすことができる部材であれば様々な部材を用いてよい。ファン清掃部５１は、図５Ａ、図５Ｂの状態では、その基端部５１ａが左右に張り出している。そして、この左右に張り出した基端部５１ａは、中空部５０ｂと嵌合し、ファン清掃部５１の先端側５１ｂは、長孔５０ａを出口として支持部５０の外に飛び出している。支持部５０の中空部５０ｂは長孔５０ａより図５の状態で左右に拡がっていて、ファン清掃部５１の基端部５１ａも左右に張り出しているので、ファン清掃部５１の基端部５１ａは支持部５０の中空部５０ｂに係合し、支持部５０からのファン清掃部５１の抜け止めがなされる。【００４０】
なお、ファン清掃部５１の基端部５１ａは支持部５０の中空部５０ｂと嵌合していて、この両者は接着、溶着などの手段により接合されてはいない。その理由は、ファン清掃部５１が経年劣化などによって交換する必要が生じたときには、ファン清掃部５１だけを支持部５０から取り外せるようにするためである。ファン清掃部５１と支持部５０とが接合していると、ファン清掃部５１の交換の際に支持部５０ごと空気調和機１００の筐体ベース１９から取り外さなければならない。支持部５０は所定の構造により、その両端が筐体ベース１９に軸支されている。よって、ファン清掃部５１を支持部５０ごと交換するのは困難が伴う。また、ファン清掃部５１だけを交換して支持部５０を生かせば、ユーザにとって部品交換コストの節減にもなる。【００４１】
また、少なくともファン清掃部５１の運転停止の際（図５Ａ、図５Ｂの状態）には、支持部５０内の中空部５０ｂでファン清掃部５１の基端部５１ａを少なくとも下側で支持している面５０ｆは傾斜している面である。より具体的には、面５１ｆは支持部５０からのファン清掃部５１の出口である長孔５０ａに向かって下り傾斜している。【００４２】
さらに、少なくともファン清掃部５１の運転停止の際（図５Ａ、図５Ｂの状態）には、支持部５０内のファン清掃部５１の基端部５１ａの外面５１ｄ側からファン清掃部５１の出口である長孔５０ａに向かって水を流す方向に傾斜している。また、当該外面５１ｄの周囲に位置する支持部５０の内面５０ｃ（中空部５０ｂの内周面）も内面５０ｃ側からファン清掃部５１の出口である長孔５０ａに向かって水を流す方向に傾斜している。【００４３】
すなわち、ファン清掃部５１の基端部５１ａの外面５１ｄにおいて、基端部５１ａ左右の面は略垂直方向の面であり、ファン清掃部５１の長孔５０ａを挿通している面も略垂直方向の面である。さらに、基端部５１ａの上面も、図５Ａ、図５Ｂの例では左側から右側にやや下り傾斜していて水平面ではない（右側から左側に下り傾斜していてもよい）。同様に、支持部５０の内面５０ｃ（中空部５０ｂの内周面等）において、中空部５０ｂの左右の面は略垂直方向の面であり、長孔５０ａの内面も略垂直方向の面である。さらに、内面５０ｃの上面も左側から右側にやや下り傾斜していて水平面ではない（右側から左側に下り傾斜していてもよい）。なお、図６以下の図面で図５Ａ、図５Ｂと同様のファン清掃装置２４を図示するときは、図５Ａ、図５Ｂのような状態にあるときに、基端部５１ａの上面及び内面５０ｃの上面は、略水平面として図示する。すなわち、これらの面は必ずしも水平面でなくともよい。
支持部５０の外面５０ｄは、少なくともファン清掃装置２４の運転停止の際（図５の状態）には傾斜している。具体的には、図５Ａ、図５Ｂの例では、支持部５０の外面５０ｄは、その径方向断面の外形形状が略円形である。そのため、外面５０ｄには水平な面が存在しない。【００４４】
支持部５０は、ファン清掃部５１の基端部５１ａを支持している内部の中空部５０ｂと外部とを連通している貫通孔５０ｅをファン清掃部５１の出口である長孔５０ａとは別に備えている。この貫通孔５０ｅは、支持部５０のどこに貫通していてもよい。図５Ａ、図５Ｂの例では、長孔５０ａの両側に２列、複数個の貫通孔５０ｅが所定間隔を空けて支持部５０の長手方向に並んでいる。この貫通孔５０ｅは、図５Ａ、図５Ｂの状態で、ファン清掃部５１の基端部５１ａを支持している中空部５０ｂから外部に向けて下り傾斜している。なお、この場合に、中空部５０ｂ内の下方の内面は、各貫通孔５０ｅに向けて下り傾斜していることが望ましい。【００４５】
図７は、ファン清掃装置２４の横断面図である。ファン清掃装置２４において、ファン清掃部５１の支持部５０内に収容されている部分の長さａよりも収容されていない部分の長さｂの方が長くなっている。【００４６】
図８は、ファン清掃装置２４と室内ファン１６との接触状態を示す横断面図である。図８は、ファン清掃部５１で室内ファン１６の清掃を行う際の状態を示している。この場合、ファン清掃部５１の先端側５１ｂのうち室内ファン１６とラップする部分の長さαは、支持部５０の中空部５０ｂにおけるファン清掃部５１の基端部５１ａと中空部５０ｂの長孔５０ａ側との間のギャップ長さβよりも長い。【００４７】
次に、空気調和機１００の作用効果について説明する。
図９は、制御部３０が実行する処理のフローチャートである（適宜、図２を参照）。なお、図９の「ＳＴＡＲＴ」時には空調運転が行われておらず、また、ファン清掃部５１の先端側５１ｂが略鉛直下方を向いた状態（図５、図２、図３に示す状態）にあるものとする。
図９のステップＳ１０１において制御部３０は、ファン清掃装置２４によって、室内ファン１６を清掃する。なお、室内ファン１６の清掃を開始するトリガとして、例えば、前回清掃時からの空調運転の積算時間が所定時間に達するという条件が挙げられる。【００４８】
図１０Ａは、室内ファン１６の清掃中の状態を示す横断面図である。なお、図１０Ａでは、室内熱交換器１５、室内ファン１６、及び露受皿１８を図示し、他の部材については図示を省略している。
制御部３０は、ファン清掃部５１を室内ファン１６に接触させ、通常の空調運転時とは逆向きに室内ファン１６を回転（逆回転）させる。【００４９】
つまり、制御部３０は、ファン清掃部５１の先端が鉛直下方を向いた状態（図５、図２、図３参照）から、支持部５０を中心に約９０°回動させ、ファン清掃部５１の先端が室内ファン１６に臨むようにする（図１０Ａ参照）。これによって、室内ファン１６のファンブレード１６ａにファン清掃部５１が接触する。
なお、図１０Ａの例では、一点鎖線Ｌで示すように、ファン清掃部５１が室内ファン１６に接触した状態での接触位置Ｋの下方に、室内熱交換器１５（前側室内熱交換器１５ａ）が存在するとともに、露受皿１８も存在している。【００５０】
室内ファン１６は逆回転しているため、ファンブレード１６ａの移動に伴ってファン清掃部５１の先端がたわみ、ファンブレード１６ａの背面をなでるようにファン清掃部５１が押し付けられる。そして、ファンブレード１６ａの外側端部（径方向の端部）に溜まった塵埃が、ファン清掃部５１によって除去される。
本実施例では、前記したように、ファンブレード１６ａにファン清掃部５１を接触させ、室内ファン１６を逆回転させるようにしている。これによって、ファンブレード１６ａの背面の外側端部にファン清掃部５１が接触し、ファンブレード１６ａの腹・背面の両方の外側端部に溜まった塵埃が、一体となって除去される。【００５１】
ここで、一般的に室内熱交換器１５の下流側に室内ファン１６が設置されているため、室内機Ｕｉの内部は、空気吹出口ｈ４からユーザがお手入れするのに困難な構造である（図２）。冷房運転や除湿運転において、室内ファン１６の周囲は高湿の状態が続くとともに、条件によっては室内ファン１６の表面温度が周囲空気の露点温度を下回る場合がある。そうすると、室内ファン１６表面に結露が生じて、その結露によって周囲の塵埃が付着し、堆積した塵埃にカビが存在するとカビの成長を促してしまい、室内ファン１６のクリーン性が低下するとともに、カビの菌糸が塵埃の付着を助長してしまう恐れがある。さらに、室内ファン１６の周囲に位置する支持部５０及びファン清掃部５１でも結露が生じて、カビや錆が発生するおそれがある。【００５２】
そこで、本実施例では、図５等に示すように、支持部５０内の中空部５０ｂでファン清掃部５１の基端部５１ａを少なくとも下側で支持している面５０ｆは傾斜面としている。より具体的には、面５１ｆは支持部５０からのファン清掃部５１の出口である長孔５０ａに向かって下り傾斜している。従って、中空部５０ｂに滞留する水分の長孔５０ａからの排出を促進し、中空部５０ｂや基端部５１ａ等に付着する水分を低減させて、カビの発生や塵埃の付着の問題を抑制することができる。また、支持部５０が金属で形成されている場合の錆の発生も抑制することができる。【００５３】
また、支持部５０内のファン清掃部５１における基端部５１ａの外面５１ｄ及び当該外面５１ｄの周囲に位置する支持部５０の内面５０ｃ（中空部５０ｂの内周面）は支持部５０からファン清掃部５１の出口である長孔５０ａに向かって水を流す方向に傾斜している。少なくともファン清掃部５１の運転停止の際（図５の状態）には、かかる状態となる。よって、中空部５０ｂ、長孔５０ａ、基端部５１ａに付着する水分を低減させて、カビの発生や塵埃の付着の問題を抑制することができる。また、支持部５０が金属で形成されている場合の錆の発生も抑制することができる。【００５４】
さらに、支持部５０の外面５０ｄは、少なくともファン清掃装置２４の運転停止の際（図５Ａ、図５Ｂの状態）には傾斜している。具体的には、図５Ａ、図５Ｂの例では、支持部５０の外面５０ｄは、その径方向断面の外形形状が略円形である。そのため、支持部５０の外面５０ｄに付着する結露を流出し易くすることができる。よって、ファン清掃装置２４のカビの発生や塵埃の付着の問題を抑制することができる。また、支持部５０が金属で形成されている場合の錆の発生も抑制することができる。また、径方向断面の外形形状が略円形であると、外形形状が複雑な場合に比べて、支持部５０が室内ファン１６によって発生する空気の流れを阻害しにくくすることができる。【００５５】
その上、支持部５０は、ファン清掃部５１の基端部５１ａを支持している内部の中空部５０ｂと支持部５０の外部とを連通している貫通孔５０ｅを、ファン清掃部５１の出口である長孔５０ａとは別に備えている。よって、中空部５０ｂ内の水分を貫通孔５０ｅから排出し易くすることができる。
この場合、貫通孔５０ｅは少なくともファン清掃装置２４の運転停止の際（図５の状態）に水平面よりも上側に向かって開口していてもよい。この場合でも中空部５０ｂ内の水分は蒸気となって排出されるのが期待できるからである。【００５６】
しかし、望ましくは、この貫通孔５０ｅは、図５の状態で、ファン清掃部５１の基端部５１ａを支持している中空部５０ｂから支持部５０外部に向けて下り傾斜しているのが望ましい。この場合は、中空部５０ｂ内の水分は液体のまま貫通孔５０ｅを流れて排出され易いので、水分の排出性が高いからである。また、この場合に、中空部５０ｂ内の下方の内面は、各貫通孔５０ｅに向けて下り傾斜していることが望ましい。この場合は、中空部５０ｂ内の水分が各貫通孔５０ｅに向けて流れ易くなるため、水分の排出性を更に高めることができるからである。【００５７】
なお、少なくともファン清掃装置２４の運転停止の際に図６の状態になる場合は、図５Ａの構成の作用効果を発揮するように、必要に応じて各部の構成を図５Ａとは異ならせる必要がある。例えば、図６に示すように、２つ図示されている面５０ｆのうち、右側の面５０ｆは、図Ａ５の例より傾斜を急峻にしている。また、図６に２つ図示されている貫通孔５０ｅの長手方向も、図５Ａの例に比べるとファン清掃部５１の長手方向に近づくように傾斜角度を変えている。【００５８】
また、図７に示すように、ファン清掃部５１の支持部５０内に収容されている部分の長さａよりも収容されていない部分の長さｂの方が長くなるようにしている。これは、前記の対策を講じても、ファン清掃装置２４内に入り込む水分を完全に防止することができないからである。すなわち、支持部５０内に水分が滞留し、カビ等の問題が生じやすい部分の長さａよりも、当該問題が生じにくい部分の長さｂを長くして、ファン清掃装置２４にカビ等の問題が生じにくくしたものである。【００５９】
さらに、図８に示すように、ファン清掃部５１の先端側５１ｂのうち室内ファン１６とラップする部分の長さαは、支持部５０の中空部５０ｂにおけるファン清掃部５１の基端部５１ａと中空部５０ｂの長孔５０ａ側との間のギャップ長さβよりも長い。すなわち、ファン清掃装置２４による室内ファン１６の清掃で、ファン清掃部５１が室内ファン１６に押圧されて、ギャップ長さβ分だけ支持部５０内に引っ込む可能性がある。このギャップ長さβが長過ぎると、ファン清掃部５１の先端側５１ｂのうち室内ファン１６とラップする部分の長さαが０となって清掃ができなくなる。そこで、ファン清掃部５１の先端側５１ｂのうち室内ファン１６とラップする部分の長さαを、支持部５０の中空部５０ｂにおけるファン清掃部５１の基端部５１ａと中空部５０ｂの長孔５０ａ側とのギャップ長さβよりも長くした。【００６０】
また、室内ファン１６を逆回転させることによって、室内機Ｕｉ（図２参照）の内部で、正回転時（図４参照）とは逆向きの緩やかな空気の流れが生じる。したがって、室内ファン１６から除去された塵埃ｊ（図１０Ａ）が空気吹出口ｈ４（図２参照）には向かわず、図１０Ａに示すように、前側室内熱交換器１５ａと室内ファン１６との間の隙間を介して、露受皿１８に導かれる。【００６１】
より詳しく説明すると、ファン清掃部５１によって室内ファン１６から除去された塵埃ｊ（図１０Ａ）が、風圧で前側室内熱交換器１５ａに軽く押し付けられる。さらに、前記した塵埃ｊは、前側室内熱交換器１５ａの傾斜面（フィンｆの縁）に沿って、露受皿１８に落下する（図１０Ａの矢印を参照）。したがって、室内ファン１６と露受皿１８との間の微少な隙間を介して、上下風向板２３（図２参照）の裏面に塵埃ｊが付着することは、ほとんどない。これによって、次回の空調運転中に塵埃ｊが室内に吹き出されることを防止できる。
なお、室内ファン１６から除去された塵埃ｊの一部が、露受皿１８に落下せずに、前側室内熱交換器１５ａに付着する可能性もある。このように前側室内熱交換器１５ａに付着した塵埃ｊは、後記するステップＳ１０３の処理で洗い流される。【００６２】
図９のステップＳ１０１の処理が終わった後、ステップＳ１０２において制御部３０は、ファン清掃装置２４を移動させる。すなわち、制御部３０は、ファン清掃部５１の先端が室内ファン１６に臨んだ状態（図１０Ａ参照）から、支持部５０を中心にファン清掃部５１を９０°回動させ、ファン清掃部５１の先端が略鉛直下方を向くようにする（図１０Ｂ参照）。
次に、ステップＳ１０３において制御部３０は、室内熱交換器１５の凍結・解凍を順次に行う。まず、制御部３０は、室内熱交換器１５を蒸発器として機能させ、室内機Ｕｉに取り込まれた空気に含まれる水分を室内熱交換器１５に着霜させて凍結させる。【００６３】
室内熱交換器１５を凍結させているとき、制御部３０は、室内熱交換器１５に流入する冷媒の蒸発温度を低くすることが好ましい。すなわち、制御部３０は、室内熱交換器１５を蒸発器として機能させ、この室内熱交換器１５を凍結（凝縮水を付着）させているとき、通常の空調運転時よりも冷媒の蒸発温度が低くなるように、室内熱交換器１５に流入する冷媒の圧力を調整する。
例えば、制御部３０は、膨張弁１４（図１参照）の開度を小さくすることによって、低圧で蒸発温度が低い冷媒を室内熱交換器１５に流入させる。これによって、室内熱交換器１５で霜や氷（図１４Ｂに示す符号ｉ）が成長しやすくなるため、その後の解凍中、室内熱交換器１５を多量の水で洗い流すことができる。【００６４】
また、室内熱交換器１５において、ファン清掃装置２４の下方に位置する領域は、室内熱交換器１５を通流する冷媒の流れの下流域ではない（つまり、上流域又は中流域である）ことが好ましい。これによって、少なくともファン清掃装置２４の下方（下側）には、低温の気液二相冷媒が流れるため、室内熱交換器１５に付着する霜や氷の厚さを厚くすることができる。したがって、その後の解凍中、室内熱交換器１５を多量の水で洗い流すことができる。【００６５】
なお、室内熱交換器１５においてファン清掃装置２４の下方に位置する領域は、ファン清掃装置２４によって室内ファン１６から掻き落とされた塵埃が付着しやすい。そこで、室内熱交換器１５においてファン清掃装置２４の下方に位置する領域に低温の気液二相冷媒を流すことで、霜や氷が成長しやすくなり、さらに、これらの霜や氷を溶かすことで室内熱交換器１５の塵埃を適切に洗い流すことができる。【００６６】
また、室内熱交換器１５を蒸発器として機能させ、この室内熱交換器１５を凍結（凝縮水を付着）させているとき、制御部３０は、上下風向板２３（図２参照）を閉じるか、又は、上下風向板２３の角度を水平よりも上向きにすることが好ましい。これによって、室内熱交換器１５で冷やされた低温の空気が室内に漏れ出ることを抑制し、ユーザにとって快適な状態で室内熱交換器１５の凍結等を行うことができる。【００６７】
このようにして室内熱交換器１５を凍結（図９のＳ１０３）させた後、制御部３０は、室内熱交換器１５を解凍する（Ｓ１０３）。例えば、制御部３０は、各機器の停止状態を維持することで、室内熱交換器１５を室温で自然解凍させる。なお、制御部３０が暖房運転又は送風運転を行うことによって、室内熱交換器１５に付着した霜や氷を溶かすようにしてもよい。
図１０Ｂは、室内熱交換器１５の解凍中の状態を示す横断面図である。室内熱交換器１５が解凍されることで、室内熱交換器１５に付着した霜や氷が溶け、フィンｆを伝って露受皿１８に多量の水ｗが流れ落ちる。これによって、空調運転中に室内熱交換器１５に付着した塵埃ｊを洗い流すことができる。【００６８】
また、ファン清掃部５１による室内ファン１６の清掃に伴って、前側室内熱交換器１５ａに付着した塵埃ｊも一緒に洗い流され、露受皿１８に流れ落ちる（図１０Ｂの矢印を参照）。このようにして露受皿１８に流れ落ちた水ｗは、室内ファン１６の清掃中に露受皿１８に直接的に落下した塵埃ｊ（図１０Ａ参照）とともに、ドレンホース（図示せず）を介して外部に排出される。解凍中に室内熱交換器１５から多量の水が流れ落ちる、ドレンホース等（図示せず）が塵埃ｊで詰まるおそれはほとんどない。
なお、図９では省略しているが、室内熱交換器１５の凍結・解凍（Ｓ１０３）を行った後、制御部３０が暖房運転又は送風運転を行うことで、室内機Ｕｉの内部を乾燥させてもよい。これによって、室内熱交換器１５等に菌が繁殖することを抑制できる。【００６９】
本実施例によれば、ファン清掃装置２４によって室内ファン１６が清掃されるため（図９のＳ１０１）、室内に塵埃ｊが吹き出されることを抑制できる。また、前側室内熱交換器１５ａと室内ファン１６との間にファン清掃装置２４が配置されるため、室内ファン１６からファン清掃部５１で掻き落とされた塵埃ｊを露受皿１８に導くことができる。
また、室内ファン１６の清掃中、制御部３０は、室内ファン１６を逆回転させる。これによって、前記した塵埃ｊが空気吹出口ｈ４に向かうことを防止できる。【００７０】
ちなみに、室内ファン１６に多量の塵埃が付着すると、場合によっては、冷房運転中、室内ファン１６の性能低下を補うように空気の吹出温度が低くされて、室内への露垂れが生じる可能性がある。これに対して本実施例では、前記したように、室内ファン１６が適切に清掃されるため、塵埃の付着に伴う室内ファン１６の風量低下が抑制される。したがって、本実施例によれば、室内ファン１６の塵埃に起因する露垂れを防止できる。【００７１】
また、制御部３０が室内熱交換器１５の凍結・解凍を順次に行うことで（図９のＳ１０３）、室内熱交換器１５に付着していた塵埃ｊが水ｗで洗い流され、露受皿１８に流れ落ちる。このように本実施例によれば、室内ファン１６を清潔な状態にすることができるとともに、室内熱交換器１５も清潔な状態にすることができる。したがって、空気調和機１００によって、快適な空調を行うことができる。また、室内熱交換器１５や室内ファン１６の清掃に要するユーザの手間やメンテナンス時の出費を低減できる。
【実施例２】
【００７２】
図１１は、本実施例２に係る空気調和機１００のファン清掃装置２４Ａの横断面図である。図１１も図５Ａと同様、少なくともファン清掃装置２４Ａの運転停止の際におけるファン清掃装置２４Ａの状態を示している。
本実施例２が前記実施例１と異なる点は、支持部５０Ａの形状が前記支持部５０と異なる点である。その他の点は、本実施例の空気調和機１００も実施例１と同様であるため、共通する部材等については同一符号を用い、詳細な説明は省略する。【００７３】
実施例１の支持部５０における径方向断面の外形形状は略円形であった。これに対して、本実施例２の支持部５０Ａにおける径方向断面の外形形状は左右方向が張り出し、上側も張り出した形状をしている。さらに下側も鉛直下方に長く延びている。本実施例２においても支持部５０Ａの径方向断面の外形形状は、ファン清掃部の運転停止の際には傾斜している形状である。【００７４】
本実施例２においても、図１１の状態で、基端部５１ａは左右に張り出している。そのため、実施例２では、基端部５１ａの左右の張り出しと対峙する支持部５０Ａの左右部分を肉厚にすることができる。よって、ファン清掃部５１を支持する支持部５０Ａの強度を高めることができる。また、基端部５１ａを支持してファン清掃部５１から清掃時等に下側の力を受ける支持部５０Ａの下側の部分を肉厚にできる。よって、この点でも、ファン清掃部５１を支持する支持部５０Ａの強度を高めることができる。【００７５】
なお、実施例２においても、少なくともファン清掃装置２４の運転停止の際に図６のようにファン清掃部５１の長手方向の向きを斜めにしてもよい。この場合には、図６の例と同様、必要に応じて面５０ｆの傾きや、貫通孔５０ｅの長手方向の傾きを図１１とは変えるようにする。【００７６】
以上、本発明に係る空気調和機１００について実施例で説明したが、本発明はこれらの記載に限定されるものではなく、種々の変更を行うことができる。
図１２は、本実施例の変形例に係る空気調和機の室内機ＵＡｉの横断面図である。図１６に示す変形例では、縦断面視で凹状を呈する溝部材Ｍが、前側室内熱交換器１５ａの下方に設置されている。また、溝部材Ｍの底面から上側に延びるリブ２８が、溝部材Ｍに設置されている。なお、その他の点については実施例と同様である。【００７７】
図１２に示す溝部材Ｍにおいて、リブ２８の前側の部分は、室内熱交換器１５の凝縮水を受ける露受部１８Ａとして機能する。また、溝部材Ｍにおいて、リブ２８の後側の部分は、室内熱交換器１５や室内ファン１６から落下した塵埃を受ける塵埃受け部２９として機能する。この塵埃受け部２９は、室内熱交換器１５の下方に配置されている。【００７８】
さらに、ファン清掃部５１の下方には、室内熱交換器１５（前側室内熱交換器１５ａの下部）が存在しているとともに、塵埃受け部２９も存在している。より詳しく説明すると、図示は省略するが、ファン清掃部５１が室内ファン１６に接触した状態での接触位置の下方に、室内熱交換器１５が存在しているとともに、塵埃受け部２９も存在している。このような構成であっても、前記した実施例と同様の効果が奏される。【００７９】
なお、室内熱交換器１５の解凍時には、露受部１８Ａに水が流れ落ちるとともに、塵埃受け部２９にも水が流れ落ちる。したがって、塵埃受け部２９に溜まった塵埃の排出に支障が生じるおそれはない。
また、図１２に示す例では、リブ２８の上端が前側室内熱交換器１５ａに接触していないが、これに限らない。すなわち、リブ２８の上端が前側室内熱交換器１５ａに接触していてもよい。【００８０】
図１３は、本実施例の別の変形例に係る空気調和機が備える室内ファン１６及びファン清掃装置２４Ｂの模式的な斜視図である。図１３に示す変形例では、室内ファン１６の軸方向と平行な方向におけるファン清掃部５１の長さは、室内ファン１６自体の軸方向の長さよりも短い。この点で前記のファン清掃部５１と異なる。一対の軸支部材２４ｄは、支持部５０の両端を軸支する部材である。そして、室内ファン１６の清掃中、ファン清掃装置２４Ａが、室内ファン１６の軸方向（室内機の正面から見て左右方向）に移動するようになっている。つまり、室内ファン１６の軸方向において、ファン清掃装置２４Ａの長さに相当する所定領域ごとに、室内ファン１６が順次に清掃されるようになっている。このように、その長さが比較的短いファン清掃装置２４Ａを移動させる構成にすることで、前記の実施例に比べて、空気調和機の製造コストを削減できる。【００８１】
なお、支持部５０と平行に延びる棒（図示せず）をファン清掃装置２４Ａの付近（例えば、支持部５０の上側）に設け、所定の移動機構（図示せず）が、この棒に沿ってファン清掃装置２４Ａを移動させるようにしてもよい。また、ファン清掃装置２４Ａによる清掃後、移動機構（図示せず）がファン清掃装置２４Ａを適宜に回動又は平行移動させ、ファン清掃装置２４Ａを室内ファン１６から退避させるようにしてもよい。【００８２】
前記実施例では、制御部３０が、ファン清掃装置２４を室内ファン１６に接触させ、通常の空調運転時とは逆向きに室内ファン１６を回転（逆回転）させる処理について説明したが、これに限らない。すなわち、制御部３０が、ファン清掃装置２４を室内ファン１６に接触させ、通常の空調運転時と同一の向きに室内ファン１６を回転（正回転）させるようにしてもよい。【００８３】
このように室内ファン１６にファン清掃部５１を接触させて、室内ファン１６を正回転させることで、ファンブレード１６ａの腹の先端付近に付着した塵埃が効果的に除去される。また、室内ファン１６を逆回転させるための制御回路や制御プログラムが不要になるため、空気調和機１００の製造コストを削減できる。【００８４】
また、前記実施例では、ファン清掃装置２４の支持部５０を中心にファン清掃部５１が回動する構成について説明したが、これに限らない。例えば、室内ファン１６を清掃する際には、制御部３０が、支持部５０を室内ファン１６の方に移動させ、ファン清掃部５１を室内ファン１６に接触させるようにしてもよい。そして、室内ファン１６の清掃終了後は、制御部３０が、支持部５０を退避させ、ファン清掃部５１を室内ファン１６から離間させるようにしてもよい。【００８５】
さらに、前記実施例では、室内熱交換器１５において、ファン清掃装置２４の下方に位置する領域が、冷媒の流れの下流域ではない構成について説明したが、これに限らない。例えば、室内熱交換器１５において、その高さがファン清掃装置２４よりも高い領域が、室内熱交換器１５を通流する冷媒の流れの下流域ではない（つまり、上流域又は中流域である）という構成であってもよい。より詳しく説明すると、前側室内熱交換器１５ａにおいて、通常の空調運転時に空気の流れの下流側に位置する領域であって、その高さがファン清掃装置２４よりも高い領域は、室内熱交換器１５を通流する冷媒の流れの下流域ではないことが好ましい。このような構成によれば、前側室内熱交換器１５ａにおいて通常の空調運転時に空気の流れの下流側に位置する領域（図２に示す前側室内熱交換器１５ａの紙面右部）であって、その高さがファン清掃装置２４よりも高い領域には、室内熱交換器１５の凍結に伴って、厚さが厚い霜が付着する。そして、その後に室内熱交換器１５を解凍させると、フィンｆを伝って多量の水が流れ落ちる。その結果、室内熱交換器１５に付着した塵埃（室内ファン１６から除去された塵埃を含む）を露受皿１８に洗い落とすことができる。【００８６】
その上、前記実施例では室内熱交換器１５の凍結等によって、室内熱交換器１５を洗浄する処理について説明したが、これに限らない。例えば、室内熱交換器１５を結露させ、その結露水（凝縮水）で室内熱交換器１５を洗浄するようにしてもよい。例えば、制御部３０は、室内空気の温度及び相対湿に基づいて、室内空気の露点を算出する。そして、制御部３０は、室内熱交換器１５の温度が、前記した露点以下であり、かつ、所定の凍結温度よりも高くなるように、膨張弁１４の開度等を制御する。【００８７】
前記した「凍結温度」とは、室内空気の温度を低下させたとき、室内空気に含まれる水分が、室内熱交換器１５で凍結し始める温度である。このように室内熱交換器１５を結露させることによって、その結露水（凝縮水）で室内熱交換器１５の塵埃を洗い落とすことができる。
また、制御部３０が、冷房運転や除湿運転を行うことによって、室内熱交換器１５を結露させ、その結露水（凝縮水）で室内熱交換器１５を洗浄するようにしてもよい。【００８８】
さらに、前記実施例（図２参照）では、ファン清掃装置２４の下方に室内熱交換器１５及び露受皿１８が存在する構成について説明したが、これに限らない。すなわち、ファン清掃装置２４の下方に、室内熱交換器１５及び露受皿１８のうち少なくとも一方が存在している構成であってもよい。例えば、縦断面視で＜字状を呈する室内熱交換器１５の下部が鉛直方向に延びている構成において、ファン清掃装置２４の下方（真下）に露受皿１８が存在していてもよい。【００８９】
その上、実施例では、室内機Ｕｉ（図１参照）及び室外機Ｕｏ（同図参照）が一台ずつ設けられる構成について説明したが、これに限らない。すなわち、並列接続された複数台の室内機を設けてもよいし、また、並列接続された複数台の室外機を設けてもよい。
また、実施例では、壁掛型の空気調和機１００について説明したが、他の種類の空気調和機にも適用することが可能である。【００９０】
また、各実施例は本発明を分かりやすく説明するために詳細に記載したものであり、必ずしも説明した全ての構成を備えるものに限定されない。また、各実施例の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００９１】
１５    室内熱交換器
１６    室内ファン
５０    支持部
５０ａ  長孔（出口）
５０ｂ  中空部（内部）
５０ｃ  内面
５０ｄ  外面
５０ｅ  貫通孔
５０ｆ  面
５１    ファン清掃部
５１ａ  基端部
５１ｂ  先端側
５１ｄ  外面
１００  空気調和機
ａ      ファン清掃部の支持部に収容されている部分の長さ
ｂ      ファン清掃部の支持部に収容されていない部分の長さ
α      ファン清掃部の先端側のうち室内ファンとラップする部分の長さ
β      ギャップ長さ
【図１】
2019220490.tif 000003
【図２】
2019220490.tif 000004
【図３】
2019220490.tif 000005
【図４】
2019220490.tif 000006
【図５Ａ】
2019220490.tif 000007
【図５Ｂ】
2019220490.tif 000008
【図６】
2019220490.tif 000009
【図７】
2019220490.tif 000010
【図８】
2019220490.tif 000011
【図９】
2019220490.tif 000012
【図１０Ａ】
2019220490.tif 000013
【図１０Ｂ】
2019220490.tif 000014
【図１１】
2019220490.tif 000015
【図１２】
2019220490.tif 000016
【図１３】
2019220490.tif 000017
【国際調査報告】
2019220490.tif 000018
2019220490.tif 000019
2019220490.tif 000020
2019220490.tif 000021